(57)【要約】【課題】設置場所の自由度が高まるとともに照明器の選択の幅が広いＬＥＤ照明システムを提供する【解決手段】ＬＥＤ照明システムＳ１において、ＬＥＤ１１１を備え外部から直流電力の供給を受けてＬＥＤ１１１を発光させるＬＥＤ照明器１と、商用交流電力を受けて商用交流電圧を直流電力に変換する変換回路（２０１〜２０９）、および操作に応じて該直流電力の電圧値を制御する調光回路（２０４）を有する、ＬＥＤ照明器１とは別個に設けられＬＥＤ照明器と２本の導線３で接続される電源装置２とを備えた。【選択図】        図１
2013149432.tif 000002
【特許請求の範囲】
【請求項１】
ＬＥＤを備え外部から直流電力の供給を受けて該ＬＥＤを発光させるＬＥＤ照明器と、
商用交流電力を受けて該商用交流電力を前記直流電力に変換する変換回路、および操作に応じて該直流電力の電圧値を制御する調光回路を有する、前記ＬＥＤ照明器とは別個に設けられ該ＬＥＤ照明器と２本の導線で接続される電源装置とを備えたことを特徴とするＬＥＤ照明システム。
【請求項２】
前記電源装置が、宅内配線用の配線ボックスに配置される日本工業規格で規格化された配線器具取付枠に取り付けられるものであることを特徴とする請求項１記載のＬＥＤ照明システム。
【発明の詳細な説明】
【技術分野】
【０００１】
本発明は、ＬＥＤ（発光ダイオード）照明システムに関する。
【背景技術】
【０００２】
ＬＥＤを用いた照明器は、白熱電球や蛍光灯よりも高効率・高寿命であるため、例えば住宅やオフィスの照明手段として普及してきている。また、照明器のＬＥＤ化においては、単に白熱電球をＬＥＤ型のものに置換するのではなく、照明器自体をＬＥＤ型のものに置き換えたり新規に設置したりすることが行われている。
【０００３】
例えば特許文献１には、住宅等の天井に埋込設置されるダウンライトが示されている。このダウンライトには、装置本体、ＬＥＤが実装された光源、放熱フィン、および、電源装置が一体に設けられており、商用交流電力の供給を受けてＬＥＤを発光させ、室内を照明する。
【０００４】
また、特許文献２にも、天井材に取り付けられる照明器具が示されている。この照明器具には、ＬＥＤが設けられた配線基板、給電装置、および、放熱ファンが一体に設けられており、外部電源からの交流を直流に変換してＬＥＤに供給し、ＬＥＤを発光させる。また、特許文献３にも埋込型の照明器具が示されている。特許文献３の照明器具も、電源ブロック、灯具本体、および放熱ブロックが一体に設けられている。
【先行技術文献】
【特許文献】
【０００５】
【特許文献１】特開２００９−６４６３６号公報
【特許文献２】特開２０１１−１３４５０１号公報
【特許文献３】特開２０１１−２２８０９８号公報
【発明の概要】
【発明が解決しようとする課題】
【０００６】
これら特許文献１〜３に示した照明装置は外部から商用交流電力を受けて動作するものであり、既に設置されている白熱電球型のダウンライトの置き換えとなることが考えられる。
【０００７】
しかしながら、宅内に設置された白熱電球型のダウンライトは、住宅の壁等に設けられた調光器を経由して交流電力の供給を受けている場合が多い。このような調光器は、ダウンライトに供給する電力（エネルギー）を操作に応じて調整するため、トライアック等によって交流の出力波形を位相制御することが一般的である。白熱電球は位相制御の導通角に応じて明るさを変えるが、特許文献１〜３に示した照明装置は、供給電圧の交流波形の位相制御方式に対応できないおそれがある。つまり、調光操作に明るさが対応しなかったり、ノイズ音が発生したり、あるいは故障が生じやすくなる。ここで、調光操作に応じた交流波形の位相制御方式は、調光器の回路方式やダウンライトの負荷によって位相制御の導通角の度合いも異なっているため態様が複雑であり、仕様の標準化が困難である。この結果、ダウンライトと調光器の組合せの保証は、例えば同一メーカ製の特定機種同士といった個別指定に拘束され、機種やメーカの選択の自由度が低い。また、指定された組合せを一旦設置すると、後で、ダウンライトのみを別の種類・デザインのものと交換することが困難になってしまう。このことは、ダウンライトに限られるものではなく、照明器具一般にいえる問題である。
【０００８】
また、特許文献１〜３に示した照明装置は、ＬＥＤを有する発光部、放熱部に加えて電源部も一体に設けられているため、全体としての容積が大きく、住宅の天井裏といった限られた空間に配置できないおそれがある。この電源部は、照明装置において交流を直流に変換するものであり、壁等に設けられる調光器と重複する回路も別に設けられることとなる。ここで、特許文献１の照明装置は、放熱フィンの横に電源装置が配置されているので、高さが制限された天井裏の空間にも配置される。しかしその分、横幅が増大しているため、梁や壁との関係で設置場所には別の制限が生じる。
【０００９】
本発明は上記問題点を解決し、設置場所の自由度が高く、照明器の選択の幅が広いＬＥＤ照明システムを提供することを目的とするものである。
【課題を解決するための手段】
【００１０】
上記目的を達成する本発明のＬＥＤ照明システムは、
ＬＥＤを備え外部から直流電力の供給を受けてこのＬＥＤを発光させるＬＥＤ照明器と、
商用交流電力を受けてこの商用交流電力を上記直流電力に変換する変換回路、および操作に応じてこの直流電力の電圧値を制御する調光回路を有する、上記ＬＥＤ照明器とは別個に設けられこのＬＥＤ照明器と２本の導線で接続される電源装置とを備えたことを特徴とする。
【００１１】
本発明のＬＥＤ照明システムでは、電源装置で商用交流電力が操作に応じた直流電力に変換され、この直流電力が、電源装置とは別個に設けられたＬＥＤ照明器に２本の導線を通じて供給される。照明器には電源装置が設けられていないため、その分照明器の大きさが小さい。このため、照明器の設置場所の自由度が高い。またさらに、調光回路を有する電源装置からは、位相制御された交流電力ではなく、直流が供給される。このため、ＬＥＤ照明器は、交流波形の位相制御方式で保証されるものではなく、直流の定格電圧と定格電流が適合するものであれば、電源装置の調光制御に適切に対応することができることになる。したがって、組合せ可能なＬＥＤ照明器の種類が増大し、選択の幅が広がる。
【００１２】
ここで、上記本発明のＬＥＤ照明システムにおいて、上記電源装置が、宅内配線用の配線ボックスに配置される日本工業規格で規格化された配線器具取付枠に取り付けられるものであることが好ましい。
【００１３】
電源装置が、規格化された寸法の形状を有することによって、例えば壁に埋設された配線ボックス内のスイッチを本発明の電源装置に交換し、交流電力で動作する既存の照明器を本発明に係るＬＥＤ照明器に交換することによって、既存の照明器をＬＥＤ照明器に置き換えることが可能である。また、新規に照明器を設置する場合にも、電源装置を規格化された配線ボックスに配置できるため、既存の照明器（例えば白熱灯照明器）と同じ作業によって調光可能なＬＥＤ照明器の設置が可能となる。
【発明の効果】
【００１４】
以上説明したように、本発明によれば、設置場所の自由度が高く、照明器の選択の幅が広がるＬＥＤ照明システムが実現する。
【図面の簡単な説明】
【００１５】
【図１】本発明のＬＥＤ照明システムの第１実施形態を示す構成図である。
【図２】図１に示す電源装置２の外観を示す正面図である。
【図３】図１に示すＬＥＤ照明システムの回路図である。
【図４】第２実施形態のＬＥＤ照明システムを示す構成図である。
【図５】ＬＥＤ照明システムの適用例を説明する図である。
【図６】第３実施形態のＬＥＤ照明システムを示す構成図である。
【図７】さらに別のＬＥＤ照明システムを示す構成図である。
【発明を実施するための形態】
【００１６】
以下図面を参照して本発明の実施の形態を説明する。
【００１７】
図１は、本発明のＬＥＤ照明システムの第１実施形態を示す構成図である。
【００１８】
図１に示すＬＥＤ照明システムＳ１は、例えば住宅やオフィスビルに配備され、商用交流電源４からの交流電圧で動作する照明システムである。ＬＥＤ照明システムＳ１は、ＬＥＤ照明器１および電源装置２を備えている。ＬＥＤ照明器１および電源装置２は、互いに分離した別個の装置であり、離れた位置に設置される。ＬＥＤ照明器１と電源装置２とは、２本の導線３で接続されている。なお、２本の導線３は、例えば、外被によって１本にまとめられた屋内電気配線用のビニル電線であるが、互いに独立した２本の単線であってもよい。
【００１９】
ＬＥＤ照明器１は、ＬＥＤ１１１を発光させることで照明を行う照明器である。ＬＥＤ照明器１は、例えば家屋構造物に取り付けられる器具である。より詳細には、図に示すＬＥＤ照明器１は、天井に埋め込まれ直下を照らすダウンライト型の照明器である。
【００２０】
ＬＥＤ照明器１は、光源部１１および放熱部１２を備えている。光源部１１は、複数のＬＥＤ１１１からなるＬＥＤアレイを備えている。ＬＥＤ照明器１は、外部から導線３を介して直流電力の供給を受け、この直流電力によってＬＥＤ１１１を発光させる。放熱部１２は、ＬＥＤ１１１で生じる熱を外部に逃がすヒートシンクである。
【００２１】
電源装置２は、ＬＥＤ１１１を発光させるための直流電力をＬＥＤ照明器１に供給する装置である。本実施形態の電源装置２は、壁に埋め込まれている。図１には、壁に埋め込まれた電源装置２の表面にカバーＣが取り付けられ、カバーＣの穴から電源装置２の一部が露出した状態が示されている。
【００２２】
電源装置２は調光器の機能を兼ね備えており、電源装置２には、ＬＥＤ照明器１の調光をするための操作部２１が設けられている。操作部２１は、電源装置２内に設けられた可変抵抗器に連動する回転ツマミであり、操作者の操作によって回転することでＬＥＤ照明器１の発光光度を変える。また、操作部２１は電源スイッチも兼ねており、反時計回りに回り切った位置で電源が切断され、その他の位置では電源が投入される。電源装置２は、外部から商用交流電力の供給を受け、この交流電力を直流電力に変換する。ここで、電源装置２からＬＥＤ照明器１に出力される直流電力の電圧値は、操作部２１のツマミの位置（角度）に応じて変化する。電源装置２は、操作部２１の操作に応じて電圧が調整された直流電圧を２本の電線を介して、ＬＥＤ照明器１に供給する。
【００２３】
図２は、図１に示す電源装置２の外観を示す正面図である。図２には、図１のカバーＣを取り外した状態が示されている。
【００２４】
電源装置２は、例えば壁内に埋め込まれた住宅配線用の埋込ボックス５１内に配置されている。より具体的には、電源装置２は配線器具取付枠５２に取り付けられており、この配線器具取付枠５２は埋込ボックス５１に取り付けられている。配線器具取付枠５２に設けられた取付穴５２ｈを貫通する図示しないねじが埋込ボックス５１にねじ係合することで、配線器具取付枠５２が埋込ボックス５１にねじ固定される。図２には、配線器具取付枠５２の中央部分に設けられた角穴から、電源装置２の操作部２１を含む一部が露出した状態が示されている。ここで、埋込ボックス５１が本発明にいう配線ボックスの一例に相当する。
【００２５】
配線器具取付枠５２は金属製であり、日本工業規格（ＪＩＳ規格）によって規格化されたものである。より詳細には、配線器具取付枠５２は、ＪＩＳ  Ｃ  ８３７５（大角形連用配線器具の取付枠）で規格化されている。電源装置２は、この配線器具取付枠５２に取り付けられる形状・寸法を有している。
【００２６】
電源装置２は、規格化された配線器具取付枠に取り付けられるため、住宅等で一般に用いられる壁埋込型スイッチを設置するのと同じ作業によって電源装置２が設置できる。また、例えば既存の白熱電球型照明器をＬＥＤ照明器に付け替える際には、白熱電球型照明器のオンオフに使用していた壁埋込型スイッチまたはトライアック型調光器を埋込ボックス５１から取り外した後、電源装置２が取り付けられた配線器具取付枠５２を埋込ボックス５１に取り付けることができる。したがって、付け替え作業も容易である。
【００２７】
図３は、図１に示すＬＥＤ照明システムの回路図である。
【００２８】
ＬＥＤ照明システムＳ１は、ＬＥＤ照明器１および電源装置２を備えており、ＬＥＤ照明器１と電源装置２とは、２本の導線３のみで接続されている。
【００２９】
ＬＥＤ照明器１は、複数のＬＥＤ１１１、および極性補償回路１０１を備えている。本実施形態のＬＥＤ照明器１における複数のＬＥＤ１１１は、直列に接続されたＬＥＤアレイである。ただし、ＬＥＤ１１１の接続構成としては、特性や仕様に応じて一部または全部が並列に接続された構成も採用可能である。これら複数のＬＥＤ１１１は、極性補償回路１０１を介して、導線３および電源装置２と接続されている。極性補償回路１０１は、ブリッジ接続された４つのダイオードを有する。極性補償回路１０１は、２本の導線３のいずれが正極となっても、この正極の電圧をＬＥＤ１１１のアノードに供給する回路である。ＬＥＤ照明器１が極性補償回路１０１を有することによって、導線３をＬＥＤ照明器１および電源装置２に接続する際に、直流の極性を気にすることなく接続することができる。したがって、接続の極性確認の作業が省かれる。特に、既存の白熱電球型照明器をＬＥＤ照明器１に置き換える際、交流用の極性表示の不明な導線を流用する場合に、作業負担が軽減される。
【００３０】
電源装置２は、全波整流回路２０１と、力率改善分電圧平滑部２０２と、直流電源生成部２０３と、ＰＷＭ制御部２０４と、バッファ部２０６と、フローティング降圧部２０８と、ノイズフィルタ部２０９を備えている。電源装置２は、商用交流電源４からの商用交流電力を、ＬＥＤ１１１に供給する直流電力に変換するＡＣ−ＤＣ変換器である。電源装置２には、電源スイッチＳＷ１も設けられている。電源スイッチＳＷ１は、上述した操作部２１（図２参照）に連動しており、操作に応じて商用交流電源４につながる回路を開閉する。
【００３１】
全波整流回路２０１は、ブリッジダイオードＤＢ１からなり、商用交流電源４から供給されてきた交流電圧を全波整流する。力率改善分電圧平滑部２０２は、ダイオードＤ１，Ｄ２，Ｄ３，Ｄ４、コンデンサＣ２，Ｃ３，Ｃ４からなる平滑回路である。力率改善分電圧平滑部２０２は、力率を高め、より省エネ効果を発揮するために設けられている。力率改善分電圧平滑部２０２では、２つのコンデンサＣ２，Ｃ３の接続形態が、入力電圧すなわち全波整流回路２０１で全波整流された電圧に応じてダイオードＤ１，Ｄ２，Ｄ３，Ｄ４のスイッチングにより変化する。入力電圧が高い期間は、コンデンサＣ２，Ｃ３が直列接続となり、このコンデンサＣ２，Ｃ３に充電がなされる。これに対し、入力電圧が低下した期間は、コンデンサＣ２，Ｃ３は並列接続となり放電を行うので、力率改善分電圧平滑部２０２の出力電圧はコンデンサＣ２のコンデンサ電圧そしてコンデンサＣ３のコンデンサ電圧とほぼ等しくなる。したがって、全波整流された電圧の波形の谷部分が０Ｖまで低下することが避けられる。
【００３２】
直流電源生成部２０３は、電源装置２の各部の動作のための内部電源である。直流電源生成部２０３は、直流電圧（ＤＣ）１５Ｖ用としてツェナーダイオードＺＤ１、抵抗Ｒ２、コンデンサＣ５からなる回路と、ＤＣ５Ｖ用としてツェナーダイオードＺＤ２、抵抗Ｒ３、コンデンサＣ６からなる回路を備える。ＤＣ１５Ｖは、フローティング降圧部２０８のＭＯＳＦＥＴ  Ｑ４のゲート制御電源となり、ＤＣ５ＶはロジックＩＣの電源となる。
【００３３】
ＰＷＭ制御部２０４は、ＭＯＳＦＥＴ Ｑ４のゲートＧの動作をＰＷＭ（パルス幅変調Pulse Width Modulation）で制御するロジックＩＣ Ｉ１，Ｉ２，Ｉ３（インバーター）を備えるものである。直流電源生成部２０３から出力される電圧を所定のデューティ比でパルス幅変調したパルス信号をフローティング降圧部２０８のＭＯＳＦＥＴ Ｑ４に送り、ＭＯＳＦＥＴ Ｑ４を制御する。ロジックＩＣ、Ｉ１の出力電圧は、抵抗Ｒ７を通り、バッファ部２０６のトランジスタ Ｑ１を介して、ＭＯＳＦＥＴ Ｑ４のゲートＧに送られ、ＭＯＳＦＥＴ Ｑ４をオンオフする。抵抗Ｒ５は、操作部２１（図２参照）に連動した可変抵抗であり、ロジックＩＣ  Ｉ３のパルス信号によるコンデンサＣ７のチャージにおいて、ハイレベルとローレベルとにおけるチャージの比率を変更することにより、ＰＷＭ制御部２０４が出力するパルス信号のデューティ比を決定する。これによって、電源装置２が出力する直流電圧を調整する。つまり、操作に応じて、ＬＥＤ照明器１に供給する直流電力の電圧値を制御し、ＬＥＤ照明器１の調光を行う。ここで、抵抗Ｒ５を含むＰＷＭ制御部２０４は、本発明にいう調光回路の一例に相当し、電源装置２内の回路全体が、本発明にいう変換回路の一例に相当する。本実施形態では、調光回路として機能するＰＷＭ制御部２０４が、電源装置２に一体化している。
【００３４】
バッファ部２０６は、トランジスタＱ２（ｎｐｎ型トランジスタ）と、トランジスタＱ３（ｐｎｐ型トランジスタ）と抵抗Ｒ９からなり、ＭＯＳＦＥＴ Ｑ４のゲートＧへの入力インピーダンスを低くするものである。なお、図３において、トランジスタＱ２とＱ３はそれぞれのベース同士が接続され、共通エミッタがＭＯＳＦＥＴ Ｑ４のゲートＧに接続されている。
【００３５】
また、バッファ部２０６は、電圧変換部を有する。電圧変換部は、トランジスタＱ１と抵抗Ｒ７、Ｒ８とからなり、電圧を５Ｖから１５Ｖに昇圧させるものである。ロジックＩＣによるＰＷＭ制御部２０４の出力電圧は５Vであり、その５Ｖの電圧でＭＯＳＦＥＴ Ｑ４のゲートＧを制御するとスイッチング損失が大きいため、バッファ部２０６の電圧変換部を用いて電圧変換し１５Ｖにする。
【００３６】
フローティング降圧部２０８は、ＭＯＳＦＥＴ Ｑ４と抵抗Ｒ１０，Ｒ１１からなり、ＰＷＭ制御部２０４で決められたデューティ比のパルス幅でＭＯＳＦＥＴ Ｑ４をオンオフすることにより、出力電圧を制御する。すなわち、ＰＷＭ制御部２０４により設定したパルス幅にスライス（オンオフの時間を調整）して出力電圧を降下させ、ＬＥＤ１１に供給される電圧を生成する。なお、抵抗Ｒ１０は回路の安定を図るため、また抵抗Ｒ１１はノイズ対策を目的として設けられている。
【００３７】
フローティング降圧部２０８には、ダイオードＤ７と、コンデンサＣ９と、コイルＬ２も備えられている。ＭＯＳＦＥＴ Ｑ４およびコイルＬ２は、全波整流回路２０１（および力率改善分電圧平滑部２０２）の出力に対し直列に接続されている。ダイオードＤ７およびコンデンサＣ１は直列接続され、コイルＬ１とは並列に接続されている。ＬＥＤ１１１は実質的にコンデンサＣ１と並列に接続されている。ＬＥＤ１１１は、極性補償回路１０１を経由するが、極性補償回路１０１は導線３の配線に際して接続極性を静的に決定するスイッチであるため、ここでは無視して考えることができる。ノイズフィルタ部２０９は、コンデンサＣ１とコイルＬ１からなり、フローティング降圧部２０８のＭＯＳＦＥＴ Ｑ４のスイッチングにより発生するノイズを外部に流出させないことができる。
【００３８】
電源装置２の動作を説明する。交流電圧が電源装置２に入力されると、全波整流回路２０１、力率改善分電圧平滑部２０２を介して、脈流の直流電圧が生成される。また、ＰＷＭ制御部２０４では、調光操作に応じたデューティのスイッチングパルス信号が生成され、バッファ部２０６で昇圧および電流増幅される。フローティング降圧部２０８のＭＯＳＦＥＴ Ｑ４は、ＰＷＭ制御部２０４で増幅されたスイッチングパルス信号に応じて、オンオフが制御される。
【００３９】
ＭＯＳＦＥＴ Ｑ４がオンした時、電流が力率改善分電圧平滑部２０２からフローティング降圧部２０８のコイルＬ２を通り、ＭＯＳＦＥＴ Ｑ４に流れる。このときコイルＬ２にエネルギーが蓄えられる。一方、ＭＯＳＦＥＴ Ｑ４がオフした時には、コイルＬ２に蓄えられたエネルギーがキックバック電圧（逆起電力）となり、ダイオードＤ７を介して平滑コンデンサＣ９が充電される。平滑コンデンサＣ９により平滑化された直流電圧が、電源装置２から導線３を介して出力される。
【００４０】
ここで、ＭＯＳＦＥＴ Ｑ４のオン時間が長いほど、コイルＬ２に蓄えられるエネルギーが増大し、電源装置２から出力される直流電力の電圧が高く、ＭＯＳＦＥＴ Ｑ４のオフ時間が短いと、出力される直流電力の電圧が低い。ＭＯＳＦＥＴ Ｑ４のオンオフのタイミングを制御するＰＷＭ制御部２０４の出力信号（スイッチング信号）のデューティは、操作部２１（図２参照）に連動した可変抵抗Ｒ５によって制御される。したがって、操作に応じて電源装置２から出力される直流電力の電圧値が制御され、ＬＥＤ照明器１におけるＬＥＤ１１１の発光輝度が制御される。
【００４１】
本実施形態の電源装置２では、バッファ部２０６におけるｎｐｎ型トランジスタＱ２とｐｎｐ型トランジスタＱ３のゲートに、ゲート電荷制御手段としてのコンデンサＣ８が並列に接続されている。これによって、ＭＯＳＦＥＴ Ｑ４のゲートＧに入力される電圧の立ち上がり波形が緩やかに立ち上がるようにしている。このため、ＭＯＳＦＥＴ Ｑ４のドレイン電圧、すなわちコイルＬ２におけるＭＯＳＦＥＴ Ｑ４側の端の電圧の立下りを緩やかにすることができ、特に出力電圧が低い状態でもＬＥＤ１１のちらつきが抑えられる。
【００４２】
上述したように、本実施形態のＬＥＤ照明システムＳ１では、電源装置２で商用交流電力が操作に応じた電圧値の直流電力に変換され、この直流電力が、電源装置とは別個に設けられたＬＥＤ照明器１に２本の導線３を通じて供給される。電源装置２は照明器１とは別個に設けられているため、その分照明器１の大きさは小さい。したがって、照明器１を狭い場所に配置することができる。またさらに、調光機能を有する電源装置２からは、位相制御された交流電力ではなく、直流が供給される。このため、ＬＥＤ１１１を備えたＬＥＤ照明器１は、交流における位相制御方式の複雑な態様ではなく、直流における電圧と電流の仕様が適合するものであれば、電源装置２の調光制御に適切に対応することができる。つまり、直流の電圧と電流の仕様が適合するものであれば、ＬＥＤ照明器を他の種類のものに交換可能である。したがって、電源装置２と組合せ可能なＬＥＤ照明器の種類が増え、選択の幅が広がる。
【００４３】
また、ＬＥＤ照明器１は電源装置２と２本の導線３のみで接続される。したがって、例えば住宅の天井等に既に設けられている白熱電球型の照明器は、次のような作業で、調光対応のＬＥＤ照明器に取り換えられる。天井に設けられた白熱電球型の照明器を本実施形態のＬＥＤ照明器１に取り換えるとともに、壁の埋込ボックスに設置されたスイッチ（または調光器）を、本実施形態の電源装置２に取り換える。本実施形態の電源装置２は、規格化された配線器具取付枠５２に取り付けられるため、既存のスイッチ等との取り換えが容易である。そして、交流電力の供給に用いられていた、壁や天井内にある電線を一部流用してＬＥＤ照明器１と電源装置２とに接続する。このように、調光対応のＬＥＤ照明器への取り換えの際には、既存の電線が少なくとも一部に流用可能であり、配線の作業負担も軽減される場合がある。また、例えば住宅の新築のように照明設備を新規に設ける場合でも、従来の白熱電球型の照明器およびスイッチを取り付ける作業と同じ作業で、調光可能なＬＥＤ照明を設置することができる。
【００４４】
次に、本発明の第２実施形態について説明する。以下の第２実施形態の説明にあたっては、これまで説明してきた実施形態における各要素と同一の要素には同一の符号を付けて示し、前述の実施形態との相違点について説明する。
【００４５】
図４は、第２実施形態のＬＥＤ照明システムを示す構成図である。
【００４６】
図４に示すＬＥＤ照明システムＳ２は、４つのＬＥＤ照明器１を備えている。４つのＬＥＤ照明器１は互いに並列に接続されている。ＬＥＤ照明器１のそれぞれは、電源装置２と２本の導線３で接続されている。
【００４７】
なお、本実施形態では、４つのＬＥＤ照明器１を備えたＬＥＤ照明システムＳ２が示されている。ただし、本発明はこれに限られるものではなく、電源装置２に接続されるＬＥＤ照明器１の数は、電源装置２の電力供給能力に応じて４つ以外であってよい。
【００４８】
図５は、ＬＥＤ照明システムの適用例を説明する図である。
【００４９】
図５には、住宅の部屋が示されている。この部屋には、２つのＬＥＤ照明システムＳ３，Ｓ４が設けられている。第１のＬＥＤ照明システムＳ３は、部屋の天井に配置され部屋中央のカウンター部分を照明する３つのＬＥＤ照明器１ａと、壁に配置された電源装置２ａとを有しており、ＬＥＤ照明器１ａと電源装置２とは、２本の導線３ａによって接続されている。また、第２のＬＥＤ照明システムＳ４は、天井に配置され窓付近を照明する３つのＬＥＤ照明器１ｂと、壁の、第１のＬＥＤ照明システムＳ３における電源装置２ａとは別の位置に配置された電源装置２ｂとを有しており、ＬＥＤ照明器１ｂと電源装置２ｂとは、２本の導線３ｂによって接続されている。電源装置２ａ，２ｂには、一般の電灯線５を介して、商用交流電力（ＡＣ１００Ｖ）が供給されている。
【００５０】
図５に示すＬＥＤ照明システムＳ３，Ｓ４は、例えば、図に示す部屋の天井に従来から設置されていた白熱電球型のダウンライトをＬＥＤ照明器１ａ，１ｂに取り換えるとともに、従来から壁に設置されていた白熱電球用の調光スイッチを電源装置２ａ，２ｂに取り換えることで構築されている。従来から設置されていた配線は、２本の導線３ａ，３ｂおよび電灯線５の一部に流用され、その他必要な線は追加配線される。ＬＥＤ照明器１ａ，１ｂは、電源回路が内蔵されていない分小型化されており、白熱電球型のダウンライトの代わりに天井裏の狭い空間に配置可能である。また、ＬＥＤ照明器１ａ，１ｂには電源回路が設けられておらず、ＬＥＤ照明器１ａ，１ｂは調光操作に応じて電圧が調整された直流電力を受けるため、調光回路との「相性の問題」が生じない。つまり、ＬＥＤ照明器１ａ，１ｂは、調光の位相制御方式に拘わらず、直流の電圧と電流の仕様が電源装置２ａ，２ｂと適合するものであれば、様々なデザインやメーカから選択して交換すること可能である。
【００５１】
上述した実施形態では、電源スイッチを内蔵した電源装置の例が示されている。次に、電源スイッチが電源装置の外部に設けられた第３実施形態について説明する。
【００５２】
図６は、第３実施形態のＬＥＤ照明システムを示す構成図である。
【００５３】
図６に示すＬＥＤ照明システムＳ５は、電源装置２Ａに電源スイッチが内蔵されておらず、電源スイッチ２Ｂが別に設けられている。ＬＥＤ照明システムＳ５全体の回路構成は、図３の回路図に示すものと同じであり、図３におけるスイッチＳＷ１が、電源スイッチ２Ｂに対応している。ただし、電源装置２Ａおよび電源スイッチ２Ｂはまとめて、図２に示す配線器具取付枠５２に取り付けられている。
【００５４】
図７は、さらに別のＬＥＤ照明システムを示す構成図である。
【００５５】
図７に示すＬＥＤ照明システムＳ６は、電源装置２Ｄに調光回路が設けられていない。図７に示すＬＥＤ照明システムＳ６の回路は、図３に示す回路図において、可変抵抗Ｒ５が、ダイオードＤ５，Ｄ６にそれぞれ繋がる固定抵抗に置き換わった構成を有する。
【００５６】
以上に説明した実施形態には、本発明にいうＬＥＤ照明器の例として、ダウンライト型のＬＥＤ照明器が示されている。ただし、本発明はこれに限られるものではなく、ＬＥＤ照明器は、例えば、吊下型、壁付型または床置き型であってもよい。
【００５７】
また、上述した実施形態には、本発明にいうＬＥＤ照明器の例として、極性補償回路１０１を備えたＬＥＤ照明器１が示されている。ただし、本発明はこれに限られるものではなく、例えば、ＬＥＤ照明器は、極性補償回路を備えていなくともよく、また、ＬＥＤを保護するための別の回路素子を搭載したものであってもよい。
【００５８】
また、上述した実施形態には、本発明にいう電源装置の例として、商用交流電源からの交流電力を直接に受ける電源装置を示した。ただし、本発明はこれに限られるものではなく、電源装置は、例えば、別途設けられたトライアック調光器を経由して交流電力を受けるものであってもよい。この場合交流電力は、別途設けられた調光器によって位相制御された交流電力となる。
【００５９】
また、上述した実施形態には、本発明にいう配線ボックスの例として、壁に埋め込まれた埋込ボックスを示した。ただし、本発明はこれに限られるものではなく、配線ボックスは、例えば、露出タイプのものであってもよい。
【符号の説明】
【００６０】
Ｓ１，Ｓ２，Ｓ３，Ｓ４，Ｓ５，Ｓ６    照明システム
１（１ａ，１ｂ）    照明器
２（２ａ，２ｂ，２Ａ，２Ｄ）    電源装置
２０１    全波整流回路
２０２    力率改善分電圧平滑部
２０３    直流電源生成部
２０４    ＰＷＭ制御部
２０６    バッファ部
２０８    フローティング降圧部
２０９    ノイズフィルタ部
３    導線
４    商用交流電源
５１    埋込ボックス
５２    配線器具取付枠
【図１】
2013149432.tif 000003
【図２】
2013149432.tif 000004
【図３】
2013149432.tif 000005
【図４】
2013149432.tif 000006
【図５】
2013149432.tif 000007
【図６】
2013149432.tif 000008
【図７】
2013149432.tif 000009